(57)【要約】  【課題】  光ディスク装置において、光ピックアップ送り機構部のラック部材の滑らかな移動を可能にする。  【解決手段】  ラック部材として、リードスクリュー部材の送りねじに係合する突起状係合部が形成された第１の部分と、光ピックアップの基台部側に結合される第２の部分と、該第１、第２の部分間で該両部分に一体状に結合され、該第２の部分に対し該第１の部分を、上記リードスクリュー部材の回転平面内等において両持ち状態で支持する第３の部分とを有して成る構成とする。【選択図】  図２
2006260721.tif 000002
【特許請求の範囲】
【請求項１】
光ディスクの略半径方向に光ピックアップを移動させ情報の記録、再生のいずれか一方または両方を行う光ディスク装置であって、
上記光ピックアップの基台部に係合し該光ピックアップの上記ディスク半径方向への移動を案内するガイド部材と、
上記ガイド部材に略平行に配され、表面に送りねじが設けられ、回転により上記光ピックアップ側に移動力を伝えるリードスクリュー部材と、
上記リードスクリュー部材の上記送りねじに係合する突起状係合部が形成された第１の部分と、光ピックアップの上記基台部側に結合される第２の部分と、上記第１、第２の部分間で該両部分に一体状に結合され、該第２の部分に対し該第１の部分を、上記リードスクリュー部材の回転平面内または該回転平面に交差する平面内において両持ち状態で支持する第３の部分とを有して成り、上記リードスクリュー部材の送りねじの回転に基づく移動力を、上記第３の部分を経て上記光ピックアップ側に伝えるラック部材と、
上記リードスクリュー部材を回転駆動する送りモータと、
を備えた構成を特徴とする光ディスク装置。
【請求項２】
上記ラック部材は、上記第３の部分がアーム状部分を備えて成り、該アーム状部分が、上記リードスクリュー部材の長さ方向に対し異なった位置の回転平面内に配された構成である請求項１に記載の光ディスク装置。
【請求項３】
上記ラック部材は、上記第３の部分が弾性変位し、弾性復元力により、上記第１の部分の突起状係合部を、上記リードスクリュー部材の送りねじ側に押す構成である請求項１に記載の光ディスク装置。
【請求項４】
上記ラック部材は、上記第３の部分が、上記リードスクリュー部材の中心軸に沿った方向の複数箇所で両持ち状態を形成する構成である請求項１に記載の光ディスク装置。
【発明の詳細な説明】
【技術分野】
【０００１】
本発明は、光ディスク装置に係り、特に、光ピックアップの送り機構部においてリードスクリュー部材に係合するラック部材の構成に関する。
【背景技術】
【０００２】
本発明に関連した従来技術としては、例えば特開２００３−２０８７６５号公報（特許文献１）や特開平１１−１８５４０７号公報（特許文献２）や特開２００３−２０３４３９号公報（特許文献３）に記載されたものがある。特開２００３−２０８７６５号公報には、情報記録装置などにおいて、リードスクリューの回転接線方向の摩擦力によるモーメントにより、ラック部の歯部がリードスクリューの溝を乗り越えるのを防止し、摩擦負荷の低減、記録再生品質の確保、アクセスの高速化、装置の小型化などを実現するために、ラック部を、板ばね性を有する連結部によりピックアップの固定部に片持ち支持し、ピックアップとラック部との間に圧縮コイルばねを設け、リードスクリューの軸方向から見て、連結部の延在方向における固定部側の端部から歯部とリードスクリューとの接触部までの距離を、固定部側の端部からラック部側の端部までの距離よりも短くするとした構成が記載され、また、特開平１１−１８５４０７号公報には、ディスクプレーやなどのピックアップ送り装置において、ピックアップに送り力を付与するねじ軸（送りねじのねじ軸）の回転方向に関係なく、ねじ軸に加わる負荷を一定に保つために、ピックアップを備えたベースに板ばねで成る支持体を取付け、支持体のアーム部にナット体を取付け、ナット体の送り歯をねじ軸のスクリュー溝に噛み合わせ、アーム部をその基部の支点を中心に、ねじ軸に対する遠近方向に弾性撓み変形可能にし、ナット体の送り歯の歯先を、支点を中心とする円弧状にするとした構成が記載されている。また、特開２００３−２０３４３９号公報には、光ディスク装置において、リードスクリュー溝とラックとの噛合い角度を常に最適化し、ラックのギヤ部の偏磨耗を防止し、ラック歯飛びを低減させることなどのために、ラックをギヤ部と固定部とのツーピース構造とし、さらに、ギヤ部と固定部との嵌合部分を筒状の組合わせ構造とし、内筒部を構成するギヤ部が、外筒部を構成する固定部に対し、相対回転自在なようにした構成が記載されている。
【０００３】
【特許文献１】特開２００３−２０８７６５号公報
【特許文献２】特開平１１−１８５４０７号公報
【特許文献３】特開２００３−２０３４３９号公報
【発明の開示】
【発明が解決しようとする課題】
【０００４】
上記特開２００３−２０８７６５号公報や特開平１１−１８５４０７号公報に記載の技術では、リードスクリュー部材のねじ部（以下、送りねじという）の溝に係合するラック部材の歯部を、片持ち状態の連結部や支持体により支持する構成としている。このため、リードスクリュー部材の回転方向により、ラック部材の歯部がリードスクリュー部材の送りねじの溝に係合する該リードスクリュー部材の周上における位置が変化し、連結部や支持体の変位量も変化する。特に、特開２００３−２０８７６５号公報記載技術のように、圧縮コイルばね等の弾性部材で連結部を押すなどして付勢する構成では、上記歯部の上記送りねじへの係合位置の変化により、該弾性部材の該歯部に対する作用点が該リードスクリュー部材の回転方向によって移動し、該移動に起因して、該歯部の、該リードスクリュー部材の送りねじの溝に押し付けられる力が大小に変化する。例えば、高速アクセスを、該押し付け力が大きい状態において行った場合には、リードスクリュー部材表面の送りねじの溝内からラック部材の歯部がはずれ、溝間の部分を乗り越えてしまういわゆる歯飛びを起こすおそれがある。歯飛びが起きた場合には、光ピックアップの滑らかな移動が阻害され、光ディスクに対する記録や再生の品質が低下する。また、特開２００３−２０３４３９号公報記載の技術では、ギヤ部と固定部との嵌合部分における摺動摩擦等に基づく外乱などにより、光ピックアップの移動精度が阻害されるおそれがある。
【０００５】
本発明の課題点は、上記従来技術の状況に鑑み、光ディスク装置において、リードスクリュー部材の回転方向が変った場合にも、ラック部材の歯部の、リードスクリュー部材の送りねじの溝と係合する位置の変移量が少なくなるようにするとともに、外乱の進入なども抑えた状態で、該歯部の該溝に対する押し付け力を略一定にすることができるようにすることである。
本発明の目的は、かかる課題点を解決し、光ディスク装置において、高速アクセス時等においても安定して光ピックアップを滑らかにかつ所定精度を確保して移動させられる技術を提供することにある。
【課題を解決するための手段】
【０００６】
上記課題点を解決するために、本発明では、光ディスク装置において、光ピックアップの送り機構部においてリードスクリュー部材に係合するラック部材を、上記リードスクリュー部材の送りねじに係合する突起状係合部が形成された第１の部分と、光ピックアップの基台部側に結合される第２の部分と、該第１、第２の部分間で該両部分に一体状に結合され、該第２の部分に対し該第１の部分を、上記リードスクリュー部材の回転平面内（リードスクリュー部材３の中心軸に略垂直な平面内）などにおいて両持ち状態で支持する第３の部分とを有して成る構成とする。
【発明の効果】
【０００７】
本発明によれば、光ディスク装置において、光ピックアップを光ディスクの略半径方向に安定して滑らかに移動させることができるようになる。
【発明を実施するための最良の形態】
【０００８】
以下、本発明を実施するための最良の形態につき、図面を用いて説明する。
図１〜図５は、本発明の一実施例の説明図である。図１は、本発明の実施例としての光ディスク装置の構成例図、図２は、図１の光ディスク装置に用いた光ピックアップ送り機構部の構成図、図３は、図１、図２の構成におけるラック部材の拡大図、図４は、図３のラック部材がリードスクリュー部材と係合した状態を示す側面図、図５は、片持ち型のラック部材を用いた光ピックアップ送り機構部の構成例を示し、本発明の効果を説明するための図である。
【０００９】
図１において、１は、光ディスク（図示なし）の情報記録面にレーザ光を照射したり、反射光を受光したりして、該情報記録面に対し信号の記録や再生を行う光ピックアップ、１ａは、光ピックアップ１全体を支える光ピックアップ１の基台部、１ｂは、レーザ光をディスク記録面に照射するとともに反射レーザ光を取込む対物レンズ、２は、搭置された光ディスク（図示なし）を回転させるターンテーブル、３は、表面に送りねじが設けられ、回転により光ピックアップ１を光ディスクの略半径方向に移動させるリードスクリュー部材、４は、リードスクリュー部材３を回転駆動する送りモータ、５は、光ピックアップ１の光ディスク半径方向の移動を案内する直線棒状のガイド部材、６は、リードスクリュー部材３の表面の送りねじの溝に係合する部分を有し該リードスクリュー部材３の回転に基づく移動力を、光ピックアップ１側に伝える両持ち型のラック部材、６ａは、両持ち型のラック部材６においてリードスクリュー部材３の上記送りねじの溝に係合する突起状係合部が形成された第１の部分（両持ち型のラック部材６の第１の部分）、６ｂは、同じくラック部材６において、光ピックアップ１の基台部１ａ側に結合される第２の部分（両持ち型のラック部材６の第２の部分）、６ｃは、上記第１の部分６ａと上記第２の部分６ｂとの間にあって、該第１の部分６ａと該第２の部分６ｂとの両方に一体状に結合され、該第２の部分６ｂに対し該第１の部分６ａを、上記リードスクリュー部材３の回転平面内（リードスクリュー部材３の中心軸に略垂直な平面内）または該回転平面に交差する平面内で両持ち状態で支持する第３の部分（両持ち型のラック部材６の第３の部分）、７は、ラック部材６を付勢する弾性部材としてのコイルばね、８はシャーシ、９は、装置の配線パターンが設けられ、外部との電気的接続を行うためのフレキシブル基板である。
【００１０】
リードスクリュー部材３は、ガイド部材５と略平行に配され、該リードスクリュー部材３の表面に設けた送りねじの溝には、両持ち型のラック部材６の第１の部分６ａの先端部の突起状係合部が係合されている。本実施例においては、両持ち型のラック部材６は、プラスチック成形等により構成され、第１の部分６ａ、第２の部分６ｂ及び第３の部分６ｃが一体化されて成る構成を有する。さらに、該両持ち型のラック部材６の第３の部分６ｃは、弾性を有する両持ち型のアーム状部分で構成され、コイルばね７の弾性復元力で付勢された状態で、自身の弾性復元力と該コイルばね７の弾性復元力とで、上記第１の部分６ａの先端部の突起状係合部を、リードスクリュー部材３の送りねじの溝に押し付ける。該第３の部分６ｃは、リードスクリュー部材３の中心軸に沿う方向の複数箇所に上記両持ち型のアーム状部分を備え、上記第１の部分６ａを支持する両持ち状態を該複数箇所に形成しているものとする。また、基台部１ａは、ガイド部材５の長手方向に沿った該基台部１ａの２つの係合部１ａ１、１ａ２で該ガイド部材５に係合されている。ガイド部材５と、リードスクリュー部材３と、２つの係合部１ａ１、１ａ２においてガイド部材５に係合する基台部１ａと、両持ち型のラック部材６と、送りモータ４とが、光ピックアップ１の送り機構部すなわち光ピックアップ送り機構部を構成している。
【００１１】
図２は、上記図１の光ディスク装置に用いた光ピックアップ送り機構部の構成図である。
図２において、６ａ１は、両持ち型のラック部材６の第１の部分６ａにおける先端部の突起状係合部（歯部）、６ａ２は、両持ち型のラック部材６の第１の部分６ａ内において上記突起状係合部（歯部）６ａ１を支持する構体部、６ｃ１１、６ｃ１２は、両持ち型のラック部材６の第３の部分６ｃにおける下側（図２に示す構成において下方）のアーム状部分（以下、下側アーム状部分という）、６ｃ２１、６ｃ２２は、両持ち型のラック部材６の第３の部分６ｃにおける上側（図２に示す構成において上方）のアーム状部分（以下、上側アーム状部分という）、２０は、両持ち型のラック部材６を基台部１ａ側に固定するビス、Ｒ１、Ｒ２は、リードスクリュー部材３の回転方向である。他の符号は、上記図１の場合と同様である。上記下側アーム状部分６ｃ１１、６ｃ１２と上記上側アーム状部分６ｃ２１、６ｃ２２とにより、リードスクリュー部材３の中心軸に沿った方向の複数箇所に、両持ち型のアーム状部分が形成される。下側アーム状部分６ｃ１１と上側アーム状部分６ｃ２１とが一方の１対の両持ち型のアーム状部分を形成し、下側アーム状部分６ｃ１２と上側アーム状部分６ｃ２２とが他方の１対の両持ち型のアーム状部分を形成するものとする。上記下側アーム状部分６ｃ１１、６ｃ１２と上記上側アーム状部分６ｃ２１、６ｃ２２とはそれぞれ、両持ち型のラック部材６の第１の部分６ａと第２の部分６ｂとの間にあって、該第１の部分６ａと第２の部分６ｂとに一体状に結合されている。コイルばね７は、両持ち型のラック部材６の第１の部分６ａと第２の部分６ｂとの間にあって、上側アーム状部分６ｃ２１、６ｃ２２間の略中間部で突起状係合部（歯部）６ａ１の背面側に配され、突起状係合部６ａ１がリードスクリュー部材３の送りねじの溝に係合した状態で、その弾性復元力が、下側アーム状部分６ｃ１１、６ｃ１２及び上側アーム状部分６ｃ２１、６ｃ２２を付勢し、これらアーム状部分による弾性復元力と略同じ方向に第１の部分６ａの構体部６ａ２を押して、第１の部分６ａの先端部の突起状係合部（歯部）６ａ１を、リードスクリュー部材３の送りねじの溝に押し付けるようになっている。上記のように、下側アーム状部分６ｃ１１、６ｃ１２、上記上側アーム状部分６ｃ２１、６ｃ２２により、リードスクリュー部材３の中心軸に沿った方向の複数箇所に、両持ち型のアーム状部分が形成されることで、リードスクリュー部材３がＲ１方向に回転した場合も、Ｒ２方向に回転した場合も、両持ち型のラック部材６の突起状係合部（歯部）６ａ１の、リードスクリュー部材の送りねじと係合する位置の変移量を少なくすることができ、該突起状係合部（歯部）６ａ１の、該送りねじの溝に対する押し付け力を略一定とすることができる。
【００１２】
図３は、上記図１、図２の構成における両持ち型のラック部材６の拡大図である。
図３において、６ｄ１、６ｄ２はそれぞれコイルばね７を支持する突起部で、６ｄ１は、両持ち型のラック部材６の第１の部分６ａの構体部６ａ２側に設けられた突起部、６ｄ２は、両持ち型のラック部材６の第２の部分６ｂ側に設けられた突起部である。コイルばね７は、両持ち型のラック部材６の第１の部分６ａの突起状係合部６ａ１がリードスクリュー部材３の送りねじの溝に係合された状態で、該コイルばね７の中心軸が略直線状とされ、ばね両端部がそれぞれ、該突起部６ｄ１、６ｄ２に係合される。ラック部材６の第３の部分６ｃにおいて、下側アーム状部分６ｃ１１、６ｃ１２と上側アーム状部分６ｃ２１、６ｃ２２はそれぞれ、両持ち型のラック部材６の第２の部分６ｂ側から第１の部分６ａ側に向けてのその長さ方向の途中で肉厚が薄く変化し、該肉厚が薄い部分の先端部に第１の部分６ａの構体部６ａ２が一体状に結合された構成を有する。該下側アーム状部分６ｃ１１、６ｃ１２、上側アーム状部分６ｃ２１、６ｃ２２はそれぞれ、該肉厚が薄く変化した部分をヒンジ部として弾性変位し、突起状係合部（歯部）６ａ１がリードスクリュー部材３の送りねじの溝を押す方向の弾性復元力を生ずる。
【００１３】
図４は、図３の両持ち型のラック部材６がリードスクリュー部材３と係合した状態を示す側面図である。
図４において、リードスクリュー部材３が、送りモータ４により駆動されて、Ｒ１の方向に回転するとき、両持ち型のラック部材６の第１の部分６ａの突起状係合部６ａ１がリードスクリュー部材３の送りねじの溝との摩擦力を受け、両持ち型のラック部材６の第３の部分における上側アーム状部分６ｃ２（６ｃ２１、６ｃ２２をまとめて６ｃ２という）は矢印Ｆ１１の方向に圧縮力を受け、下側アーム状部分６ｃ１（６ｃ１１、６ｃ１２をまとめて６ｃ１という）は矢印Ｆ１２の方向に引張力を受けるが、それぞれのアーム状部分は各方向の変位をほとんど発生せず、突起状係合部６ａ１のリードスクリュー部材３の送りねじの溝への係合位置はほとんど変化せず、回転前と略同じ位置を保つ。このため、コイルばね７の、構体部６ａ２に対する作用点も該リードスクリュー部材３の回転によってほとんど移動せず、突起状係合部６ａ１が該リードスクリュー部材３の送りねじの溝に押し付けられる力も回転前とほとんど同じレベルとなる。リードスクリュー部材３がＲ２の方向に回転するときも上記と同様である。すなわち、リードスクリュー部材３が、Ｒ２の方向に回転するとき、両持ち型のラック部材６の第１の部分６ａの突起状係合部６ａ１がリードスクリュー部材３の送りねじの溝との摩擦力により、両持ち型のラック部材６の第３の部分の下側アーム状部分６ｃ１は矢印Ｆ２１の方向に圧縮力を受け、上側アーム状部分６ｃ２は矢印Ｆ２２の方向に引張力を受けるが、それぞれのアーム状部分は、上記Ｒ１の方向に回転する場合と同様、各方向の変位をほとんど発生せず、突起状係合部６ａ１のリードスクリュー部材３の送りねじの溝への係合位置はほとんど変化せず、回転前と略同じ位置を保つ。このため、コイルばね７の、構体部６ａ２に対する作用点も該リードスクリュー部材３の回転によってほとんど移動せず、突起状係合部６ａ１が該リードスクリュー部材３の送りねじの溝に押し付けられる力も回転前とほとんど同じレベルとなる。つまり、リードスクリュー部材３が、Ｒ１の方向に回転するときも、Ｒ２の方向に回転するときも、突起状係合部６ａ１のリードスクリュー部材３の送りねじの溝への係合位置はほとんど変化せず、このため、コイルばね７の作用点位置もほとんど変化せず、突起状係合部６ａ１が該リードスクリュー部材３の送りねじの溝に押し付けられる力もほとんど同じレベルに保たれる。
【００１４】
図５は、本発明の効果を説明するための図であり、片持ち型のラック部材を用いた光ピックアップ送り機構部の構成例を示す。（ａ）は、上記図２に対応して光ピックアップ送り機構部の全体的構成を示す図、（ｂ）は、上記図４に対応して、片持ち型のラック部材がリードスクリュー部材３と係合した状態を示す側面図である。
図５において、６'は、リードスクリュー部材３の表面の送りねじの溝に係合する片持ち型のラック部材、６ａ'は、片持ち型のラック部材６'においてリードスクリュー部材３の上記送りねじに係合する突起状係合部が形成された第１の部分（片持ち型のラック部材６'の第１の部分）、６ｂ'は、同じく片持ち型のラック部材６'において、光ピックアップ１の基台部側に結合される第２の部分（片持ち型のラック部材６'の第２の部分）、６ｃ'は、上記第１の部分６ａ'と上記第２の部分６ｂ'との間に配され、該第２の部分６ｂ'に対し該第１の部分６ａ'を、上記リードスクリュー部材３の回転平面内で片持ち状態で支持する第３の部分（片持ち型のラック部材６'の第３の部分）、６ａ１'は、片持ち型のラック部材６'の第１の部分６ａ'における突起状係合部（歯部）、６ａ２'は、同第１の部分６ａ'内において上記突起状係合部（歯部）６ａ１'を支持する構体部、６ｃ１１'、６ｃ１２'は、片持ち型のラック部材６'の第３の部分６ｃ'における下側（図５に示す構成において下方）のアーム状部分（以下、下側アーム状部分という）である。他の符号は、上記図２、図４の場合と同様である。
【００１５】
上記図５の構成において、リードスクリュー部材３が、送りモータ４により駆動されて、Ｒ１の方向に回転するとき、片持ち型のラック部材６'の第１の部分６ａ'の突起状係合部６ａ１'がリードスクリュー部材３の送りねじの溝との間で生ずる摩擦力を受け、片持ち型のラック部材６'の第３の部分６ｃ'におけるアーム状部分６ｃ１'（６ｃ１１'、６ｃ１２'をまとめて６ｃ１'という）は、矢印Ｆ１２'の方向に引張力を受けながら、図の上方に曲げ変位を生じ、突起状係合部６ａ１'のリードスクリュー部材３の送りねじの溝への係合位置も図の上方に移動する。このため、コイルばね７の、構体部６ａ２'に対する作用点も移動し、突起状係合部６ａ１'が該リードスクリュー部材３の送りねじの溝に押し付けられる力も回転前よりも低減する。このように、突起状係合部６ａ１'の、リードスクリュー部材３の送りねじの溝への係合位置が移動することと、該溝への押し付け力が低減することにより、突起状係合部６ａ１'が歯飛びを起し易くなる。リードスクリュー部材３がＲ２の方向に回転するときも上記と同様である。すなわち、アーム状部分６ｃ１'は、矢印Ｆ２１'の方向に圧縮力を受けながら、図の下方に曲げ変位を生じ、突起状係合部６ａ１'のリードスクリュー部材３の送りねじの溝への係合位置も図の下方に移動する。このため、コイルばね７の、構体部６ａ２'に対する作用点も移動し、突起状係合部６ａ１'が該リードスクリュー部材３の送りねじの溝に押し付けられる力も回転前よりも低減する。このように、突起状係合部６ａ１'の、リードスクリュー部材３の送りねじの溝への係合位置が移動することと、該溝への押し付け力が低減することにより、突起状係合部６ａ１'が歯飛びを起し易くなる。
上記片持ち型のラック部材６'を用いた構成における欠点は、上記図４でも説明したように、本発明の両持ち型のラック部材を用いた構成により改善される。
【００１６】
上記実施例によれば、光ディスク装置において、リードスクリュー部材３の回転時にも、また、回転の方向が変った場合にも、ラック部材の突起状係合部６ａ１の、リードスクリュー部材３の送りねじの溝と係合する位置の変移量を少なくでき、該突起状係合部６ａ１の該溝に対する押し付け力を略一定にすることが可能となる。この結果、高速アクセス時等においても光ピックアップを安定して滑らかに移動させることができ、記録や再生の品質が確保される。
【００１７】
なお、上記実施例では、コイルばね７を用いて両持ち型のラック部材６を付勢する構成としたが、コイルばね以外の弾性部材で付勢する構成としてもよいし、または、コイルばねも他の弾性部材も一切用いずに、該両持ち型のラック部材の弾性復元力だけを利用する構成であってもよい。さらに、本発明の光ディスク装置は、上記実施例で示したタイプのものに限定されない。
【図面の簡単な説明】
【００１８】
【図１】本発明の実施例としての光ディスク装置の構成例図である。
【図２】図１の光ディスク装置における光ピックアップ送り機構部の構成例図である。
【図３】図１、図２の構成におけるラック部材の拡大図である。
【図４】図３のラック部材がリードスクリュー部材と係合した状態を示す側面図である。
【図５】本発明の効果を説明するための図である。
【符号の説明】
【００１９】
１…光ピックアップ、
１ａ…基台部、
１ａ１、１ａ２…係合部、
１ｂ…対物レンズ、
２…ターンテーブル、
３…リードスクリュー部材、
４…送りモータ、
５…ガイド部材、
６…ラック部材、
６ａ…第１の部分、
６ａ１…突起状係合部、
６ａ２…構体部、
６ｂ…第２の部分、
６ｃ…第３の部分、
６ｃ１、６ｃ１１、６ｃ１２…下側アーム状部分、
６ｃ２、６ｃ２１、６ｃ２２…上側アーム状部分、
６ｄ１、６ｄ２…突起部、
７…コイルばね、
８…シャーシ、
９…フレキシブル基板。
【図１】
2006260721.tif 000003
【図２】
2006260721.tif 000004
【図３】
2006260721.tif 000005
【図４】
2006260721.tif 000006
【図５】
2006260721.tif 000007